(57)【特許請求の範囲】
【請求項１】
イメージ検出器内のノイズ・レベルを修正するためのプロセスであって、少なくとも１行内（Ｌ１〜Ｌ３）および少なくとも１列内（Ｃｌ１〜Ｃｌ１６）に配置された感光ポイント（Ｄ１〜Ｄ２７、Ｃ１〜Ｃ２１）のマトリックス（２）を含み、前記感光ポイントが各行（Ｌ１〜Ｌ３）内にあって、一方では、それぞれが発光キューに露光され、発光キューの輝度に依存した測定値（Ｖｍ１〜Ｖｍ９）を送達することを意図されたいわゆる「検出器」ポイント（Ｄ１〜Ｄ２７）内に分配され、他方では、測定値（Ｖｍ１〜Ｖｍ９）の修正に役立ち、それぞれがいわゆる「暗」値（Ｖｄｋ１〜Ｖｄｋ７）を送達することを意図された、発光キューに対するどんな露光からも防護されるいわゆる「修正器」ポイント（Ｃ１〜Ｃ２１）内に分配されており、前記イメージ検出器（１）が、測定値（Ｖｍ１〜Ｖｍ９）および暗値（Ｖｄｋ１〜Ｖｄｋ７）が転送され、各測定値（Ｖｍ１〜Ｖｍ９）の修正が実行されるいわゆる取得および処理回路（７）を備えており、前記プロセスが、少なくとも１行（Ｌ１〜Ｌ３）内で、一方では検出器ポイント（Ｄ１〜Ｄ９）を検出器グループ（Ｇｄ１〜Ｇｄ３）のうちの２つよりも大きいかまたは等しい数（Ｍ）の検出器グループに分配し、他方では修正器ポイント（Ｃ１〜Ｃ７）を修正器グループ（Ｇｃ１〜Ｇｃ３）のうちの２つよりも大きいかまたは等しい数（ｍ）の修正器グループに分配するものであって、それぞれがその修正器ポイント（Ｃ１〜Ｃ７）によって送達される暗値（Ｖｄｋ１〜Ｖｄｋ７）に基づいて修正値（Ｖｃ１〜Ｖｃ３）を公式化する役目を果たし、かつ、検出器ポイント（Ｄ１〜Ｄ９）によって送達される測定値（Ｖｍ１〜Ｖｍ９）を、修正されるべき測定値（Ｖｍ１〜Ｖｍ９）を送達する検出器ポイント（Ｄ１〜Ｄ９）が属する検出器グループ（Ｇｄ１〜Ｇｄ３）に応じて選択された修正値（Ｖｃ１〜Ｖｃ３）によって修正し、少なくとも２つの異なる修正値（Ｖｃ１、Ｖｃ２）が修正に使用されることを特徴とするプロセス。
【請求項２】
修正器ポイント（Ｃ１〜Ｃ７）を、検出器グループ（Ｇｄ１〜Ｇｄ３）の数（Ｍ）と同一数（ｍ）の修正器グループ（Ｇｃ１〜Ｇｃ３）に分配するものであることを特徴とする、請求項１に記載の修正プロセス。
【請求項３】
少なくとも２つの異なる検出器グループ（Ｇｄ１〜Ｇｄ３）の測定値（Ｖｍ１〜Ｖｍ９）を修正するために、同一の修正値（Ｖｃ１〜Ｖｃ３）を使用することを特徴とする、請求項１または２に記載の修正プロセス。
【請求項４】
すべての修正器グループ（Ｇｃ１〜Ｇｃ３）が、同一数の修正器ポイント（Ｃ１〜Ｃ７）を備えることを特徴とする、請求項１から３のいずれか一項に記載の修正プロセス。
【請求項５】
少なくとも２つの修正器グループ（Ｇｃ１〜Ｇｃ３）が異なる数の修正器ポイント（Ｃ１〜Ｃ７）を備えることを特徴とする、請求項１から３のいずれか一項に記載の修正プロセス。
【請求項６】
少なくとも１つの修正器グループ（Ｇｃ１〜Ｇｃ３）が単一の修正器ポイント（Ｃ１〜Ｃ７）で形成されることを特徴とする、請求項１から５のいずれか一項に記載の修正プロセス。
【請求項７】
同一行（Ｌ１〜Ｌ３）の検出器ポイント（Ｄ１〜Ｄ９）を、すべてが同一数の検出器ポイント（Ｄ１〜Ｄ９）を有する検出器グループ（Ｇｄ１〜Ｇｄ３）に分配するものであることを特徴とする、請求項１から６のいずれか一項に記載の修正プロセス。
【請求項８】
少なくとも２つの検出器グループ（Ｇｄ１〜Ｇｄ３）が異なる数の検出器ポイント（Ｄ１〜Ｄ９）を備えることを特徴とする、請求項１から６のいずれか一項に記載の修正プロセス。
【請求項９】
検出器グループ（Ｇｄ１〜Ｇｄ３）のうち少なくとも１つの検出器ポイント（Ｄ１〜Ｄ９）が、少なくとも１つの他の検出器グループに属する検出器ポイントと混合されることを特徴とする、請求項１から８のいずれか一項に記載の修正プロセス。
【請求項１０】
少なくとも２行（Ｌ１〜Ｌ３）が数の異なる検出器グループ（Ｇｄ１〜Ｇｄ３）を備えることを特徴とする、請求項１から９のいずれか一項に記載の修正プロセス。
【請求項１１】
少なくとも２行（Ｌ１〜Ｌ３）の間で、検出器グループ（Ｇｄ１〜Ｇｄ３）が数の異なる検出器ポイント（Ｄ１〜Ｄ９）を備えることを特徴とする、請求項１から１０のいずれか一項に記載の修正プロセス。
【請求項１２】
様々な修正値の中からランダム方式で選択した修正値（Ｖｃ１〜Ｖｃ３）を使用して、測定値（Ｖｍ１〜Ｖｍ９）のうち少なくとも１つを修正するものであることを特徴とする、請求項１から１１のいずれか一項に記載の修正プロセス。
【発明の詳細な説明】
【０００１】
本発明は、ノイズ・レベルを修正するプロセスに関する。これは、感光ポイントのマトリックスによってイメージを取得するタイプのイメージ検出器に適用される。本発明のプロセスは、より具体的に言えば、同一行のすべての感光ポイントの間で相関されるノイズの知覚を減らすことを目的とする。
【０００２】
感光ポイントのマトリックスは、一般に、デジタル化イメージを獲得できるようにするイメージ取得技法において使用される。これらの感光性マトリックスでは、感光ポイントが、特に半導体材料の薄膜を付着させる技法を使って生成される。これらの感光性マトリックスは、可視放射または近可視放射に含まれるイメージを検出できるようにするものである。これらが放射線イメージを検出する際に特に有益なアプリケーションを発見するのであって、そのため、Ｘ線を感光ポイントが感応する波長帯域内の放射に変換するように、入射Ｘ線と感光性マトリックスとの間にシンチレータ・スクリーンを挿入すれば十分であることに留意されたい。
【０００３】
最高数百万の感光ポイントまたはピクセルを有することのできる、大型（たとえば５０ｃｍ×５０ｃｍ）の感光性マトリックスがある。感光ポイントは行および列のネットワークを形成する。各感光ポイントがスイッチング・ダイオードからなる断続器素子と協働するフォトダイオードを含むタイプの感光性マトリックスについては、フランス特許出願第８６／１４０５８号（公開第２６０５１１６号）に、その動作モードならびに実施形態と共に記載されている。
【０００４】
マトリックスが発光キューに露光されると電荷量が生成され、露光された信号の輝度に応じて各感光ポイントごとに蓄積される。これら電荷量の読取りは、行ごとに実行される。これは特に初期には、アドレッシングした行の各感光ポイントごとに蓄積された電荷を、列に平行の導体によって列方向読取り回路に移送するものである。したがって、多重回路によってこれらの電荷量を測定値の形式でデータ取得回路に転送することが可能になり、データ取得回路で電荷量が格納および処理される。
【０００５】
一般に、マトリックスの動作モードには関係なく、各測定値はノイズ・レベルでオーバーレイされ、その起源は詳細には、特に行アドレッシング回路および列方向読取り回路の読取りに関係する様々な電子設備に影響を与えるノイズである。
【０００６】
「ノイズ」という用語は、各感光ポイントが搬送する測定値Ｖｍを再生する場合には必ず、その標準偏差によって特徴付けられる一定の誤差または統計的変動を伴うことを意味すると理解される。
【０００７】
感光性マトリックスを伴うタイプのイメージ検出器では、行アドレッシング周波数（行周波数は、同一行の感光ポイントの読取りに割り振られた時間の逆数である）より低い周波数にある非ゼロのノイズ密度によって、この行のすべての感光ポイントが同じノイズの影響を受けるようになることが周知であるため、このノイズは「行方向相関ノイズ」Ｂｃｌと呼ばれる。
【０００８】
イメージ内のすべての相関現象を検出するには、特に人の目が有効であることも周知である。これによって、かなり低いレベルでも検出できるため、行方向相関ノイズＢｃｌが特にひどくなる。人の目による知覚の限界に対応するレベルである非相関ノイズＢｎｃに比べて、相関ノイズＢｃｌは、そのレベルが非相関ノイズのレベルよりも約１０倍程度低い場合にも依然として人の目で検出可能であると、一般に考えられる。
【０００９】
相関変動に対する人の目の知覚能力が高まることによって生じるこの問題に対して、従来の解決策は、「クランプ」技法と呼ばれるノイズ修正方法によって与えられるものである。この方法では、所与の行内にある相関ノイズＢｃｌの値ＶＢｃｌを決定し、この行の各感光ポイントによって送達される測定値Ｖｍから減算する（Ｖｍ−Ｖｂｃｌ）。そのため、この方法は特に、その行に属する感光ポイントによって送達され、故意に暗部に残される、いわゆる暗値Ｖｄｋ（行方向相関ノイズを含む）を読み取るものである。これは、感光ポイントを発光キューに対するいかなる露光からも防護することによって実現されるものであり、したがってこのポイントは修正機能のみを実行し、以下の記述では「修正器ポイント」と呼ばれる。イメージを検出するために発光キューに対して露光することを意図した他の感光ポイントは、「検出器ポイント」と呼ばれる。
【００１０】
ただし、このような感光ポイントの暗値Ｖｄｋが実際に行方向相関ノイズＢｃｌのキューを含んでいる場合は、一定レベルの非相関ノイズＢｃｌも所有しており、この暗値Ｖｄｋは実際には相関ノイズＢｃｌと非相関ノイズＢｎｃとの２次合計である。さらに、低いレベルの非相関ノイズＢｎｃを示す修正値を提供するために、複数の修正器ポイントすなわちｎ個の修正器ポイントが、行方向相関ノイズＢｃｌを修正するための機能に割り振られる。この条件の下では、これらｎ個の修正器ポイントの暗値Ｖｄｋを平均することによって最終的に得られる修正値Ｖｃが相関ノイズ・レベルＢｃｌの代表値であり、修正器ポイントの数ｎが大きくなるほど、非相関ノイズＢｎｃにおける統計的減少が大きくなる。さらに厳密に言えば、非相関残余ノイズ・レベルは、修正器ポイント数ｎの平方根に等しい因数ずつ減少する（Ｖｃ＝Ｂｃｌ＋Ｂｎｃ／√ｎ）。
【００１１】
行の各検出器ポイントの測定値ＶＭが修正値Ｖｃによって修正されると、元の行方向相関ノイズＢｃｌはなくなるが、修正それ自体を介して注入された何らかの他のノイズＢｃｌ’に置き換えられる。このノイズＢｃｌ’が、すべての検出器ポイント内にあるというその事実によって、それ自体が行方向相関となる非相関残余ノイズである。したがってこの新しい行方向相関ノイズＢｃｌ’の振幅は、非相関残余ノイズの振幅、すなわちＢｎｃ／√ｎに等しい。これらの条件の下では、知覚されるレベルよりも低いレベルをこの新しい相関ノイズＢｃｌ’に与え、さらに相関ノイズが非相関ノイズの少なくとも１０倍より少なくなければならないという規則を遵守していることを希望する場合、√ｎ＝１０でなければならず、したがってｎ＝１００となる（ｎはその行の修正器ポイントの数）。
【００１２】
この解決策により、人の目によってノイズを知覚する場合には良い結果が生じるが、各行に対して要求する修正器ポイント数ｎが大きい（ｎ≧１００）ため、極端に不利になる。実際に修正器ポイント数が大きいと、コストが増加するだけでなく、各行についてこれら１００の修正器検出器が暗部内に残されなければならないため、イメージ検出が意図された同一領域のための大きさが増す。
【００１３】
本発明の目的は、イメージ検出器内の行方向相関ノイズを人の目によって知覚することを減らすか、さらにはなくすことである。本発明は、検出器ポイントによって送達される測定値を、人の目による同一の知覚に関して、従来の技術に比べてかなり削減された修正器ポイント数によってこれらの修正に必要な値を得ることができるようにする方法で修正することを提案する。
【００１４】
本発明によれば、イメージ検出器内のノイズ・レベルを修正するためのプロセスであって、少なくとも１行内および少なくとも１列内に配置された感光ポイントのマトリックスを含み、この感光ポイントが各行内にあって、一方では、それぞれが発光キューに露光され、発光キューの輝度に依存した測定値を送達することを意図されたいわゆる「検出器」ポイント内に分配され、他方では、測定値の修正に役立ち、それぞれがいわゆる「暗」値を送達することを意図されたいわゆる「修正器」ポイント内に分配されており、このイメージ検出器が、測定値および暗値が転送され各測定値の修正が実行されるいわゆる取得および処理回路を備えており、このプロセスが、少なくとも１行について、少なくとも２つの異なる修正値によって測定値を修正するものであることを特徴とする。
【００１５】
したがって、同一行の検出器ポイントに異なるノイズ修正をかけることによって、その行の検出器ポイント間にあるノイズの相関を無効にするか、あるいは実際には相関を「絶つ」傾向がある。その結果、従来技術の場合のように、相関ノイズが非相関ノイズの少なくとも１０倍より小さいという規則を十分満たしている修正器ポイント数ｎを利用して、修正器値の公式化を実行する必要がもはやなくなる。
【００１６】
本発明は、非限定的な例によって、本発明のプロセスが実施できるようにイメージ検出器を概略的に表した添付の１つの図を参照しながら、以下の説明を読めばよりよく理解されよう。
【００１７】
この図は、本発明のプロセスが適用可能なイメージ検出器を概略的に示したものである。このイメージ検出器は感光性マトリックス２を備えており、それ自体が列形式に配置された導体Ｘ１〜Ｘ１６（いわゆる「列導体」）と交差する、行形式に配置された導体Ｙ１〜Ｙ３（いわゆる「行導体」）を備える。行導体Ｙ１〜Ｙ３と列導体Ｘ１〜Ｘ１６の各交差は、感光ポイント（機能によってＤ１〜Ｄ２７またはＣ１〜Ｃ２１のいずれかでラベル表示）に対応しており、行導体と列導体の間で従来の方法により接続される。したがって感光ポイントＤ１〜Ｄ２７、Ｃ１〜Ｃ２１は、行Ｌ１〜Ｌ３および列Ｃｌ１〜Ｃｌ１６として配列される。
【００１８】
感光ポイントＤ１〜Ｄ２７、Ｃ１〜Ｃ２１の精密な構成は本発明を理解する上で有用ではないため、円形の符号で表してあるが、これらの感光ポイントは従来の方法で、具体的にはトランジスタ・タイプの断続器素子と協働するフォトダイオード、あるいはたとえば前に引用したフランス特許出願（公開第２６０５１６６号）に記載されているようなスイッチング・タイプのダイオードで構成することも可能であるので留意されたい。
【００１９】
感光ポイントＤ１〜Ｄ２７、Ｃ１〜Ｃ２１はすべて同一であるが、異なる機能を有する２つのカテゴリーに分配される。第１のカテゴリーの感光ポイントは「検出器ポイント」Ｄ１〜Ｄ２７と呼ばれ、イメージを検出することを意図するものであって、それぞれがイメージの内容に応じて輝度が異なる発光信号に対して露光されなければならず、それぞれがこの輝度に対応する測定値Ｖｍ１〜Ｖｍ２７を送達する。
【００２０】
第２のカテゴリーの感光ポイントは「修正器ポイント」Ｃ１〜Ｃ２１と呼ばれており、それぞれが暗値Ｖｄｋ１〜Ｖｄｋ２１と呼ばれ、ノイズによって影響を受ける、ノイズの測定値Ｖｍ１〜Ｖｍ２７を修正するのに使用されるノイズに関係するキューを送達しなければならない。その目的のため従来どおり、たとえば不透明スクリーン（図示せず）を利用して、修正器ポイントＣ１〜Ｃ２１が発光信号に露光されることを防護する。次いで単純に、図に示された非限定的な例のように、マトリックス２の同一側にあるすべての修正器ポイントＣ１〜Ｃ２１をグループにまとめ、各行Ｌ１〜Ｌ３内で、７つの検出器ポイントＣ１〜Ｃ２１はすべて左側に配置され、その後に９つの検出器ポイントＤ１〜Ｄ２７が続く。
【００２１】
図の例では、後者を単純化するために３つの行導体および１６の列導体だけが示されているが、本発明はこれよりも大容量あるいは小容量のマトリックスの場合にも等しく適用できることはもちろんである。たとえばマトリックスを、たとえば約２０００行および約２０００列として配置された感光ポイント、あるいは検出ストリップを構成するように単一行およびいくつかの列として配置された感光ポイント、あるいは単一の感光ポイントを構成するように単一行および単一列として配置された感光ポイントを有するようにするのは一般的なことである。
【００２２】
イメージ検出器は、出力ＳＹ１、ＳＹ２、ＳＹ３がそれぞれ行導体Ｙ１、Ｙ２、Ｙ３にリンクされた制御回路３を備える。この制御回路３は、たとえば時計回路、スイッチング素子、シフト・レジスタなどの様々な素子（表示せず）を備え、行導体Ｙ１〜Ｙ３の順次アドレッシングの実行を可能にする。
【００２３】
従来の方法では、列導体Ｘ１〜Ｘ３は読取り回路ＣＬに属する積分器増幅器Ａ１〜Ａ１６にそれぞれリンクされる。この積分器増幅器の出力Ｓ１〜Ｓ１６は、たとえば、Ｃ．Ｃ．Ｄタイプ（電荷結合素子を表す省略形）が可能な並列入力および直列出力を有するシフト・レジスタによって形成される、マルチプレクサ６の並列入力ｅ１〜ｅ１６にリンクされる。マルチプレクサ６の出力Ｓｍは、具体的に言えば感光ポイントの読取り結果を取得、格納、および処理する責任を負う、いわゆる「取得および処理」回路７にリンクされる。
【００２４】
この従来型の配置により、検出器ポイントＤ１〜Ｄ２７を発光信号に対して露光する段階の後に発生する読取り段階の間に、マルチプレクサ６からの出力ＳＭのように、修正器ポイントＣ１〜Ｃ２０によって与えられる一連の暗値Ｖｄｋ１〜Ｖｄｋ２１に続いて、検出器ポイントＤ１〜Ｄ２７によって与えられる一連の測定値Ｖｍ１〜Ｖｍ２７を、「直列」および行ごと（Ｌ１〜Ｌ３）に送達できるようにする。
【００２５】
したがって、感光ポイントの第１行Ｌ１を例に取ると、この行Ｌ１がアドレッシングされる場合、一方では修正器ポイントＣ１〜Ｃ７によってそれぞれ送達される暗値Ｖｄｋ１〜Ｖｄｋ７が、他方では検出器ポイントＤ１〜Ｄ９によってそれぞれ送達される測定値Ｖｍ１〜Ｖｍ９が、マルチプレクサ６の入力ｅ１〜ｅ１６に加えられる。次いで後者は、たとえば（第１の修正器ポイントＣ１が提供する）第１のＶｄｋ１からの暗値で始まり、（第７の修正器ポイントＣ７から発生する）第７のＶｄｋ７までの、直列で送達される電圧信号の形式でこれらの値を取得回路７に転送し、この暗値Ｖｄｋ７の後に第１のＶｍ１から第９の測定値Ｖｍ９までの測定値が続く。同じ操作が、第２行Ｌ２について、またその後第３行Ｌ３について反復される。
【００２６】
行Ｌ１〜Ｌ３の測定値および修正値が取得回路７に転送されると、後者はこれらを具体的にはノイズの修正を実行するように処理することができる。
【００２７】
従来の技術では、前述のように、その行にあるｎ個の修正器ポイントのうちの１つによってそれぞれ与えられる暗値Ｖｄｋに基づいて、ノイズ修正値Ｖｃが公式化される。修正値Ｖｃは、ｎ個の暗値を平均することによって得られ、このノイズ修正は、各検出器ポイントによって送達された測定値Ｖｍからこの単一の修正値Ｖｃを減じるものである。
【００２８】
これに対して本発明のプロセスを使用する場合、ノイズ修正は、同一行のすべての検出器ポイントに対して同一の修正では実行されない。本発明のプロセスによるノイズ修正は、一方ではＬ１〜Ｌ３のうち少なくとも１行の検出器ポイントＤ１〜Ｄ２７を、「検出器グループ」と呼ばれる少なくとも２つのグループＧｄ１、Ｇｄ２に分配するものであり、他方では、この同じ行にあるｎ個の修正器ポイントＣ１〜Ｃ２１に基づいて少なくとも２つの異なる修正値Ｖｃ１、Ｖｃ２を公式化するものであって、最終的には、検出器グループＧｄ１、Ｇｄ２のうちの１つに属する検出器ポイントから発生する測定値を修正値Ｖｃ１、Ｖｃ２のうちの１つによって修正し、他方の検出器グループに属する検出器ポイントから発生する測定値を他方の修正値によって修正するものである。
【００２９】
第１行Ｌ１内に（同一グループの検出器ポイントと修正器ポイントとを接続する破線によって）示された本発明の第１の実施形態は、その行のＮ個の検出器ポイントＤ１〜Ｄ７をＭ個の検出器グループＧｄ１、Ｇｄ２、Ｇｄ３に分配し、検出器ポイントＤ１〜Ｄ７がそれぞれＮ１、Ｎ２、Ｎ３という異なる数を形成するようにできるものである。図の例では、後者を十分に理解しやすいように、検出器ポイントおよび修正器ポイントの数がやむを得ず制限されており、行Ｌ１〜Ｌ３内にある検出器ポイントの合計数Ｎは第１行Ｌ１内の７に等しく、検出器グループの数Ｍは３に等しく、グループ内の検出器の数Ｎ１、Ｎ２、Ｎ３はそれぞれ２、３、４に等しい。
【００３０】
もちろん実際には、たとえば約２０００のＮ個の検出器ポイントを含む行の場合、その行にある検出器ポイント間のノイズ相関を十分に無効にするように、Ｍ個の検出器グループを増やすことができる。試行の結果、このような場合には、ラインを約１０の検出器グループに分割すればすでに相関を「絶つ」には十分であって、もはや人の目には不快なものとして知覚されず、この場合の検出器ポイントの数はたとえば５０から３００の間が可能であり、この数はすべての検出器グループ内で同一であっても同一でなくてもよく、すべての検出器グループで異なってもよいことが明らかになった。
【００３１】
第１行Ｌ１に示した例では、第１および第２の検出器ポイントＤ１、Ｄ２が第１の検出器グループＧｄ１を形成する役目を果たし、第２の検出器グループＧｄ２は第３、第４、および第５の検出器ポイントＤ３、Ｄ４、Ｄ５によって形成され、第３の検出器グループＧｄ３は第６、第７、第８、および第９の検出器ポイントＤ６、Ｄ７、Ｄ８、およびＤ９によって形成される。
【００３２】
第１行Ｌ１のｎ個の修正器ポイントＣ１〜Ｃ７も、「修正器グループ」と呼ばれるｍ個のグループＧｃ１、Ｇｃ２、Ｇｃ３（表示された非限定的な例ではｍ＝３）に分配され、記載された非限定的な例ではそれぞれがｎ１＝２、ｎ２＝３、ｎ３＝２の数の修正器ポイントによって形成される。
【００３３】
このように、検出器ポイントＤ１〜Ｄ９からなる検出器グループおよび修正器ポイントＣ１〜Ｃ７からなる修正器グループに分けることは、実際にはこれらのポイント自体のレベルではいかなる方法でも明らかにされないが、ノイズ修正に関して考えられる測定値Ｖｍ１〜Ｖｍ２７を処理した結果生じるものであり、この処理は取得および処理回路７のレベルで実行されることが認められる。以下に記載する、図に示したようなポイントのグループ分けは、単に本発明による修正プロセスの実施を例示するためのものである。
【００３４】
したがってこの処理は、第１行Ｌ１によって示される例に基づき、それぞれ第１および第２の修正器ポイントＣ１、Ｃ２（第１の修正器グループＧｃ１を形成する）によって送達される暗値Ｖｄｋ１、Ｖｄｋ２を平均し、この平均値を使用して第１の修正値Ｖｃ１を形成するものである。第２の修正値Ｖｃ２は、第２の修正器グループＧｃ２を形成する第３、第４、および第５の修正器ポイントＣ３、Ｃ４、およびＣ５によってそれぞれ送達される、暗値Ｖｄｋ３、Ｖｄｋ４、Ｖｄｋ５を平均することで得られる。最後に第３の修正値Ｖｃ３は、第３の修正器グループＧｃ３を形成する第６および第７の修正器ポイントＣ６、Ｃ７によってそれぞれ送達される、暗値Ｖｄｋ６、Ｖｄｋ７を平均することで得られる。統計的変動がそれぞれの暗値に影響を与える場合は、各修正値Ｖｃ１〜Ｖｃ３に基づいて得られる暗値の数が少ないほど、こうして得られるこれら修正値間の相違が大きくなる可能性があることに留意されたい。
【００３５】
第１の修正値Ｖｃ１は、同一の検出器グループ、たとえば第１の検出器グループＧｄ１に属する検出器ポイントから発生する測定値を修正するために選択され、したがってこの第１の修正値は、検出器ポイントＤ１、Ｄ２によって送達される測定値Ｖｍ１およびＶｍ２を修正する役目を果たす。同様のことが、第２の修正値Ｖｃ２によって修正される、第２の検出器グループＧｄ２から発生する測定値Ｖｍ３、Ｖｍ４、Ｖｍ５にも当てはまり、さらに同様のことが、第３の修正値Ｖｃ３によって修正される、第３の検出器グループＧｄ３から発生する測定値Ｖｍ６〜Ｖｍ９にも当てはまる。
【００３６】
したがって実際には、行内でノイズ修正に必要な検出器ポイントの数をたとえば２０までと、従来の技術に比べてかなり減らすことができる。実際に第１行Ｌ１内に示した例では、各検出器グループＧｄ１〜Ｇｄ３に対して修正器グループＧｃ１〜Ｇｃ３が対応しており、１行の検出器ポイントが１０の検出器グループに分配されるという前述のケースにこの例が当てはまる場合は、１０の修正器グループを作る必要があり、次いで各修正器グループが２つの検出器ポイントによって形成されることを想定すると、その行は２０の検出器ポイントを含まれなければならない。このことは、人の目による光学的知覚が同じ場合、従来技術でノイズを修正するのに１行内に要求された検出器ポイントが１００であることと比較しなければならない。
【００３７】
もちろん、行Ｌ１〜Ｌ３に示されたｎ個の修正器ポイントよりも少ないｎ１、ｎ２、ｎ３の修正器ポイントで修正値Ｖｃ１〜Ｖｃ３が得られるという事実は、マトリックス２に注入されるノイズ・レベルをわずかに増やし、したがって追加ノイズを生み出す。そのため、修正器グループＧｃ１〜Ｇｃ３に対して、１つだけではなく少なくとも２つの修正器ポイントＣ１〜Ｃ２１を使用することが好ましい（ただし必須ではない）が、単一の修正器ポイントが１つの修正器グループを形成している場合であっても、この追加ノイズはもはや相関されず、その影響は二次的に追加されるだけであり、ほとんどの場合無視できるものであるため、依然として興味深い解決策となる。
【００３８】
修正器グループＧｃ１〜Ｇｃ３は、２つまたはそれ以上の検出器グループＧｄ１〜Ｇｄ３によって提供される値を修正する役目も果たし、それによって、Ｌ１〜Ｌ３の各行内にある修正器ポイントＣ１〜Ｃ２１の数をさらに減らすか、または各修正器グループＧｃ１〜Ｇｃ３内またはこれらグループのうちのいくつかにある、これら修正器ポイントの数ｎ１、ｎ２、ｎ３を増やすかのどちらかが可能になる。実際には、様々な修正器グループＧｃ１〜Ｇｃ３がｎ１、ｎ２、ｎ３の同一数の修正器ポイントによって形成される必要はなく、これらグループのうち少なくとも１つは、第１行Ｌ１に示した例にあるグループＧｃ２のように、他とは異なる数ｎ２を含むことができるのであって、すなわち、修正器グループＧｃ１〜Ｇｃ３内の修正器ポイントＣ１〜Ｃ７の数は１つまたは複数であることが可能であり、この数はある行のすべての修正器グループ内で同一であっても同一でなくてもよく、あるいはまた、ある行のすべての修正器グループ間で異なってもよい。
【００３９】
第１行Ｌ１を参照しながらこれまでに説明したノイズ修正は、同じ方法で他の行Ｌ２、Ｌ３に適用することができる。ただし、各行によって、１つまたは複数の変形例を導入することも可能である。たとえば、検出器グループＧｄ１〜Ｇｄ３のいずれか１つを修正するために、修正器グループＧｃ１〜Ｇｃ３のうちの１つを選択することが、ある行内および／またはＬ１〜Ｌ３のどの行内でも、ランダムに実行することができる。
【００４０】
第１行Ｌ１に示された例では、検出器グループＧｄ１〜Ｇｄ３が別個のブロックを形成しているが、検出器グループを入れ子状態にすることも可能であり、すなわち所与の検出器グループに属する１つまたは複数の検出器グループと、１つまたは複数の他の検出器グループに属する検出器ポイントとを混合することが可能である。このような場合、たとえば第２行Ｌ２について考えると、検出器ポイントＤ１３（列Ｃｌ１１に配置されている）は、そのすぐ両側に配置されている検出器ポイントＤ１２およびＤ１４が属する検出器グループとは異なる検出器グループに属することが可能である。
【００４１】
意図した効果を生じるその他の変形例は、たとえばＭ個の検出器グループの値および／またはｍ個の修正器グループの値を、行Ｌ１〜Ｌ３のそれぞれで変えることができるものである。
【００４２】
最後に他の変形例は、検出器グループＧｄ１〜Ｇｄ３内にある検出器ポイントＤ１〜Ｄ２７の数の分配を、行Ｌ１〜Ｌ３のそれぞれで変えるかまたは修正するものである。
【図面の簡単な説明】
【図１】  本発明のプロセスが適用可能なイメージ検出器を概略的に示した図である。
【図１】
0004281247.tif 000002